(57)【特許請求の範囲】
【請求項１】
商品収納庫内に上下方向に延びるように設けられ、吸気口から吸入した空気を排気口から吹出すエアダクトと、エアダクトの排気口の前方に配置された冷却器と、冷却器の前方に着脱自在に設けられたファンダクトとを備え、ファンダクトの前端側を商品収納庫の底面側に係合し、ファンダクトの後端側を冷却器の上方に位置させてエアダクトに係合するようにした自動販売機において、
前記ファンダクトをその一部を弾性変形させながら商品収納庫の底面側及びエアダクトに係合可能に形成した
ことを特徴とする自動販売機。
【請求項２】
前記商品収納庫の底面側にファンダクトを係合する突起部を設け、
ファンダクトの前端側に、突起部に嵌合することにより商品収納庫の底面側と係合する係合部を設けた
ことを特徴とする請求項１記載の自動販売機。
【請求項３】
前記ファンダクトから吹き出された空気を加熱するヒータダクトを備え、
ヒータダクトをファンダクトの前面に着脱自在に取り付けた
ことを特徴とする請求項１または２記載の自動販売機。
【請求項４】
前記ファンダクトの後端側を、その幅方向両端が冷却器の側板に内側から係止するように形成した
ことを特徴とする請求項１、２または３記載の自動販売機。
【請求項５】
前記ファンダクトの後端側に、エアダクトの排気口の上端に係止することによりエアダクトと係合する係止片を設けた
ことを特徴とする請求項１、２、３または４記載の自動販売機。
【請求項６】
前記ファンダクトの後端側に前後方向に延びる幅方向一対の切り欠きを設けるとともに、各切り欠きの間に上下方向に弾性変形可能な弾性片を、前記係止片を含むように設けた
ことを特徴とする請求項５記載の自動販売機。
【発明の詳細な説明】
【技術分野】
【０００１】
本発明は、例えば缶入り飲料、紙パック飲料等の商品を販売するとともに、商品を冷却することが可能な自動販売機に関するものである。
【背景技術】
【０００２】
従来、この種の自動販売機としては、商品収納庫内に上下方向に延びるように設けられ、吸気口から吸入した空気を排気口から吹出すエアダクトと、エアダクトの排気口の前方に配置された冷却器と、冷却器の前方に着脱自在に設けられたファンダクトとを備え、ファンダクトの前端側を商品収納庫の底面側に係合し、ファンダクトの後端側を冷却器の上方に位置させてエアダクトに係合するようにしたものが知られている（例えば、特許文献１参照）。
【０００３】
この自動販売機では、ファンダクトを商品収納庫に取り付ける際に、ファンダクトの前端側をネジを用いて商品収納庫の底面に固定している。
【特許文献１】特開２００５−９２３９５号公報
【発明の開示】
【発明が解決しようとする課題】
【０００４】
しかしながら、前記従来例では、ネジを用いてファンダクトを商品収納庫の底面に固定しているので、ファンダクトの着脱時においてネジの取り付けまたは取り外しに係る作業が極めて面倒であるとともに、ネジを用いる分だけ部品点数が増加するという問題点があった。
【０００５】
本発明は前記問題点に鑑みてなされたものであり、その目的とするところは、ネジを用いることなくファンダクトを商品収納庫に固定することの可能な自動販売機を提供することにある。
【課題を解決するための手段】
【０００６】
本発明は、前記目的を達成するために、商品収納庫内に上下方向に延びるように設けられ、吸気口から吸入した空気を排気口から吹出すエアダクトと、エアダクトの排気口の前方に配置された冷却器と、冷却器の前方に着脱自在に設けられたファンダクトとを備え、ファンダクトの前端側を商品収納庫の底面側に係合し、ファンダクトの後端側を冷却器の上方に位置させてエアダクトに係合するようにした自動販売機において、前記ファンダクトをその一部を弾性変形させながら商品収納庫の底面側及びエアダクトに係合可能に形成している。
【０００７】
これにより、弾性変形したファンダクトが復元することによって、ファンダクトの商品収納庫の底面側及びエアダクトに対する係合状態が保持されるので、ネジを用いることなくファンダクトが商品収納庫に取り付けられる。
【発明の効果】
【０００８】
本発明によれば、ネジを用いることなくファンダクトを商品収納庫に取り付けることができるので、ファンダクトの着脱時においてネジの取り付けまたは取り外しに係る作業が不要となるとともに、部品点数を少なくすることができ、製造コストを低減することができる。
【発明を実施するための最良の形態】
【０００９】
図１乃至図７は本発明の一実施形態を示すもので、図１は自動販売機の全体斜視図、図２は自動販売機の側面断面図、図３は冷却装置の分解斜視図、図４は突起部の拡大斜視図、図５は係止片の拡大斜視図、図６は冷却装置の全体斜視図、図７はファンダクトを冷却器に係止した状態を示す図である。
【００１０】
この自動販売機は、前面を開口した自動販売機本体１と、自動販売機本体１の前面開口部を開閉する外扉２とを備えており、外扉２の前面には商品取出口２ａの他、サンプル展示室２ｂ、商品選択ボタン２ｃ、金銭投入口２ｄが設けられている。自動販売機本体１内には、前面を開口した商品収納庫３が設けられ、その下方には凝縮器、凝縮器用ファンモータ、圧縮機等を配置した機械室４が設けられている。また、商品収納庫３の底板３ａの上面には、図３に示すように、自動販売機本体１の幅方向に亘って上方に突出した突起部３ｂが設けられている。さらに、商品収納庫３の前面には、商品収納庫３の前面開口を覆う内扉５が設けられており、商品は、前後方向及び左右方向に配列されたサーペンタインコラム（図示省略）で構成した商品収納コラム６に収納されている。また、底板３ａの突起部３ｂには、図４に示すように、前面側の幅方向中央に上方に突出するネジ３ｃが設けられている。なお、ネジ３ｂを設ける代わりに、突起部３ｂの前面側の一部を上方に突出するように変形させてもよい。
【００１１】
商品収納庫３の後端側には、商品収納庫３内の空気を循環させるエアダクト１０と、エアダクト１０によって吐出された空気を冷却する冷却器２０と、冷却器２０によって冷却された空気を送風するファンダクト３０と、ファンダクト３０から吹き出された空気を加熱するヒータダクト４０が設けられており、冷却器２０及びファンダクト３０からなる冷却装置は底板３ａ上に載置されている。
【００１２】
エアダクト１０は上下方向に長く形成され、吸気口１１を上部に、排気口１２を下部前面に有している。排気口１２の上縁にはファンダクト３０と係合する係合孔１２ａが設けられており、排気口１２の幅方向両端にはそれぞれ前方に突出する一対の突出片１２ｂが形成されている。
【００１３】
冷却器２０は、その幅方向に配列された複数のフィン２１と、各フィン２１の両端側に位置する一対の側板２２と、フィン２１に直交するように挿通された複数の冷媒管２３とからなり、各側板２２の上端にはそれぞれ外側方向に屈曲したフランジ２２ａが形成されている。
【００１４】
ファンダクト３０は、それぞれ金属板からなる前面部３１、上面部３２及び側面部３３から形成されており、前面部３１には、冷気を送風するファン３１ａが取り付けられている。また、ファンダクト３０の前面部３１にはヒータダクト４０を取り付けるための幅方向一対の取付孔３１ｂが設けられている。また、前面部３１の下端には、前方に向かって下り傾斜をなす傾斜片３１ｃが設けられ、傾斜片３１ｃの幅方向中央には、底板３ａのネジ３ｃに係合する係合孔３１ｄが設けられている。上面部３２は、その後端側が後方に向かって突出した形状をなしており、上面部３２の幅方向両端側には、それぞれ上方に屈曲した一対のフランジ３２ａが形成されている。また、上面部３２の後端における幅方向中央には、図５に示すように、排気口１２の係合孔１２ａに係合する係合片３２ｂが上方に屈曲するように設けられている。さらに、係止片３２ｂの幅方向両端側には、それぞれ前方に延びる一対の切り欠き３２ｃが設けられており、各切り欠き３２ｃの間には、押圧されることによって上下方向に弾性変形する弾性片３２ｄが係合片３２ｂを含むように形成されている。なお、各フランジ３２ａ間の長さは、冷却器２０の各側板２２間の間隔と等しく形成されている。
【００１５】
ヒータダクト４０は前面と後面が開口した角筒形状をなしており、その内側には、ファンダクト３０のファン３１ａから送風された冷気を加熱する複数のヒータ４１が取り付けられている。また、ヒータダクト４０の幅方向両側面を形成する側面板４２の後部には、ファンダクト３０の各取付孔３１ｂにそれぞれ係止する一対の係止片４３が設けられている。
【００１６】
以上のように構成された自動販売機において、冷却器２０及びファンダクト３０をエアダクト１０に取り付ける場合には、まず冷却器２０の各側板２２の後端側をエアダクト１０の各突出片１２ｂの間に係合することにより、冷却器２０をエアダクト１０の前方に配置する。
【００１７】
次に、ファンダクト３０の係合孔３１ｄを底板３ａのネジ３ｃに係合させた状態で、ファンダクト３０の上面部３２の後端側を冷却器２０の上方に位置させるとともに、図５に示すように、上面部３２の係止片３２ｂを下方に押圧しながら弾性片３２ｄを弾性変形させて、排気口１２の係合孔１２ａに挿入する。そして、係止片３２ｂへの押圧を解除すると、弾性片３２ｄは上方に復元し、係止片３２ｂが係合孔１２ａの上縁に係止する。これにより、図６に示すように、冷却器２０及びファンダクト３０がエアダクト１０に取り付けられる。また、ヒータダクト４０をファンダクト３０に取り付ける場合には、ヒータダクト４０の各係止片４３をそれぞれファンダクト３０の各取付孔３１ｂに挿入して係止させればよい。
【００１８】
また、冷却器２０及びファンダクト３０がエアダクト１０に取り付けられた状態では、図７に示すように、上面部３２の後端側が各フィン２１の上端に近接するとともに、各フランジ３２ａが側板２２の内側に係止することにより、エアダクト１０の排気口１２から流れ出す空気が確実に各フィン２１間に案内される。
【００１９】
このように、本実施形態の自動販売機によれば、ファンダクト３０の係合孔３１ｄを底板３ａのネジ３ｃに係合させた状態で、係止片３２ｂを弾性変形させながら排気口１２の係合孔１２ａに挿入して係合孔１２ａの上縁に係止するようにしたので、ネジを用いることなくファンダクト３０を商品収納庫３に取り付けることができ、ファンダクトの着脱時においてネジの取り付けまたは取り外しに係る作業が不要となるとともに、部品点数を少なくすることができ、製造コストを低減することができる。
【００２０】
また、商品収納庫３の底板３ａにファンダクト３０を係合するネジ３ｃを設け、ファンダクト３０の前端側に、ネジ３ｃに嵌合することにより商品収納庫３の底板３ａと係合する係合孔３１ｄを設けたので、ファンダクト３０の前端側がファンダクト３０の幅方向にずれることがなく、ファンダクト３０を商品収納庫３の底板３ａに確実に固定することができる。
【００２１】
さらに、ファンダクト２０から吹き出された空気を加熱するヒータダクト４０を備え、ヒータダクト４０をファンダクト３０の前面に着脱自在に取り付けたので、ヒータダクト４０を取り付けることにより商品収納庫３内の商品を加熱することができ、商品を加熱する必要がない場合にはヒータダクト４０を取り外すことができる。
【００２２】
また、ファンダクト３０の上面部３２を、その幅方向両端が冷却器２０の側板２２に内側から係止するように形成したので、上面部３２を各フィン２１の上部に近接させながらファンダクト３０によって冷却器２０の上方を覆うことができる。これにより、ファンダクト３０の幅方向への移動を確実に規制できるとともに、排気口１２から吹き出された空気を確実に各フィン２１に案内することができ、空気の冷却効率を向上させることができる。
【００２３】
さらに、ファンダクト３０の後端部にエアダクト１０の排気口１２の上端に係止することによりエアダクト１０と係合する係止片３２ｂを設けたので、ファンダクト３０の上方への移動が規制され、底板３ａにファンダクト３０を確実に固定することが可能となる。
【００２４】
また、ファンダクト３０の後端側に前後方向に延びる幅方向一対の切り欠き３２ｃを設けるとともに、各切り欠き３２ｃの間に上下方向に弾性変形可能な弾性片３２ｄを係止片３２ｂを含むように設けたので、上面部３２の後端側を下方に押圧するよりも少ない力で係止片３２ｂを排気口１２の係止孔１２ａに挿入することができ、ファンダクト３０を容易にエアダクト１０に取り付けることができる。
【００２５】
なお、上記の取り付け方法では、最初にファンダクト３０を底板３ａに係合してからファンダクト３０をエアダクト１０に係合しているが、最初にファンダクト３０をエアダクト１０に係合した後にファンダクトを底板３ａに係合することも可能である。これにより、ファンダクト３０の着脱方法の自由度が増し、メンテナンス作業における手間を軽減させることもできる。
【図面の簡単な説明】
【００２６】
【図１】本発明の一実施形態を示す自動販売機の全体斜視図
【図２】自動販売機の側面断面図
【図３】冷却装置の分解斜視図
【図４】突起部の拡大斜視図
【図５】係止片の拡大斜視図
【図６】冷却装置の全体斜視図
【図７】ファンダクトを冷却器に係止した状態を示す図
【符号の説明】
【００２７】
１…自動販売機本体、３…商品収納庫、３ａ…底板、３ｂ…突起部、３ｃ…ネジ、１０…エアダクト、１１…吸気口、１２…排気口、２０…冷却器、２２…側板、３０…ファンダクト、３１ｄ…係合孔、３２ｂ…係止片、３２ｃ…切り欠き、３２ｄ…弾性片、４０…ヒータダクト。
【図１】
0004599255.tif 000002
【図２】
0004599255.tif 000003
【図３】
0004599255.tif 000004
【図４】
0004599255.tif 000005
【図５】
0004599255.tif 000006
【図６】
0004599255.tif 000007
【図７】
0004599255.tif 000008